(57)【要約】【課題】天井設置型空調室内機において電装品箱の制御信号や比較的低い駆動電圧などに関する比較的電圧が低い部分を安全に取り扱えるようにし、作業効率を高める。【解決手段】電装品箱３０の第１領域Ａｒ１には、数ボルトから数十ボルト程度の低電圧しか供給されないディップスイッチ３５やコネクタ３６などの電気部品群を取り付ける。電装品箱蓋３１の下の第２領域Ａｒ２には、２００ボルト程度の高電圧が供給される端子盤６１やメインプリント配線基板６２のコネクタ６３ａなどの電気部品群を取り付ける。第１領域Ａｒ１の下方の開口部７５から手指を入れてディップスイッチ３５などの電気部品群についての作業を行うことができる。一方、端子盤６１などの電気部品には、開口部７５からは手指が入らないため安全に作業を行うことができる。【選択図】図４
2010002076.tif 000002
【特許請求の範囲】
【請求項１】
室内に下面を向けて取り付けられる天井設置型空調室内機（２）であって、
前記下面に向って第１開口部（７５）を持つ電装品箱（３０）と、
前記第１開口部の上方にある前記電装品箱の内側の第１領域（Ａｒ１）に取り付けられ、第１電圧より低い第２電圧が供給される第１電気部品群（３５，３６，３７，３８，３９，４０，４１，４２）と、
前記第１開口部から手指が侵入しない前記電装品箱の内側の第２領域（Ａｒ２）に取り付けられ、前記第１電圧以上の電圧が供給される第２電気部品群（６１，６３ａ，６３ｂ，６３ｃ，６３ｄ）と、
を備える天井設置型空調室内機。
【請求項２】
前記電装品箱は、前記第２電気部品群を覆う第１蓋（３１）を有する、請求項１に記載の天井設置型空調室内機。
【請求項３】
前記電装品箱は、前記第１開口部の開閉を手指で行う第１開閉扉（３２）をさらに有し、
前記第１電気部品群は、前記第１開閉扉を開けたときに露出する位置に配置され、前記第２電圧よりも高い電圧が印加されることのないコネクタ（３６，３７，３８，３９，４０）及び／またはディップスイッチ（３５）を含む、請求項１または請求項２に記載の天井設置型空調室内機。
【請求項４】
前記第１蓋は、前記第１領域と前記第２領域との境界の下方を通り屈曲自在な薄肉部（３１ａ）を持つ板部材で構成され、
前記薄肉部を境とする前記板部材の前記第１領域の側が前記第１開閉扉である、請求項２に記載の天井設置型空調室内機。
【請求項５】
前記第１開閉扉を開閉できるように第２開閉扉を有し、少なくとも前記第１蓋の一部分を覆う化粧パネル（１０）をさらに備える、請求項４に記載の天井設置型空調室内機。
【請求項６】
前記電装品箱の下方に取り付けられ、前記下面から見て前記第１開口部と重なる位置に第２開口部（２４）を有するとともに前記第２開口部の開閉を手指で行う第３開閉扉（２３ａ）を有する第２蓋（２３）をさらに備える、請求項１から５のいずれかに記載の天井設置型空調室内機。
【請求項７】
前記第３開閉扉は、閉めたときに前記第１開閉扉に当接する凸部（２３ｂ）を持つ、請求項６に記載の天井設置型空調室内機。
【発明の詳細な説明】
【技術分野】
【０００１】
本発明は、電装品箱を有する天井設置型空調室内機に関する。
【背景技術】
【０００２】
天井設置型空調室内機においては、運転や制御を行うために、電源や制御信号の供給を受ける電気部品が電装品箱などに収められている。例えば、メンテナンスの作業性を向上するために、熱交換器の上流側空間に、各電気部品を収納した電装品箱を配置するものがある（特許文献１参照）。
【０００３】
天井設置型空調室内機の組み立て時や据え付け時には、基板などを収めた電装品箱を空調室内機のケース中に設置し数々の結線を行う。また、天井設置型空調室内機の動作確認を行うために試験や試運転を通電して行う場合がある。さらには、工場から出荷する前や建物への据え付け時には周囲の状況や使用者の要望に合わせて電装品箱内の電気部品の設定が必要になる。
【特許文献１】特開平６‐３０７６６７号公報
【発明の開示】
【発明が解決しようとする課題】
【０００４】
電装品箱では空調室内機の制御のための各種センサーやリモートコントローラからの信号や風向板を動かす制御信号や比較的電圧の低い駆動用電圧などが取り扱われている。一方、天井設置型空調室内機の運転のために高電圧の電源の供給を受けていることから、制御信号や比較的低い電圧を用いる電気部品を取り扱う際にも危険を伴うことから注意して作業をする必要がある。天井設置型空調室内機においては、特に、天井に設置された状態のものに対して無理な姿勢での作業が発生するため、高電圧になる部分への十分な配慮が必要になる。
【０００５】
本発明の課題は、天井設置型空調室内機の電装品箱において制御信号や比較的低い駆動電圧などに関する比較的電圧が低い部分を安全に取り扱え、作業効率を高めた天井設置型空調室内機を提供することにある。
【課題を解決するための手段】
【０００６】
第１発明に係る天井設置型空調室内機は、室内に下面を向けて取り付けられるものであって、電装品箱と、第１電気部品群と、第２電気部品群とを備える。電装品箱は、下面に向って第１開口部を持つ。第１電気部品群は、第１開口部の上方にある電装品箱の内側の第１領域に取り付けられ、第１電圧より低い第２電圧が供給される。第２電気部品群は、第１電圧以上の電圧が供給される。また第２電気部品群は、第１領域に隣接し第１開口部から手指が侵入しない電装品箱の内側の第２領域に取り付けられる。
【０００７】
本発明によれば、第１開口部の上方の第１領域には低電圧（第２電圧未満）が供給される第１電気部品群を取り付け、手指が侵入しない第２領域には高電圧（第１電圧以上）が供給される第２電気部品群を取り付けている。それにより、手指が高電圧に触れることなく、第１電気部品群の取り扱いを行うことができる。
【０００８】
第２発明に係る天井設置型空調室内機は、第１発明の天井設置型空調室内機であって、電装品箱は、第２電気部品群を覆う第１蓋を有する。
【０００９】
本発明によれば、高電圧である第１電圧以上の電圧が供給される第２電気部品群を第１蓋という別部材によって覆うため、第１蓋を取り外せば、広い開口で下面側から第２電気部品群の組み立てができる。
【００１０】
第３発明に係る天井設置型空調室内機は、第１発明または第２発明の天井設置型空調室内機であって、電装品箱は、第１開口部の開閉を手指で行う第１開閉扉をさらに有する。第１電気部品群に含まれるコネクタ及び／またはディップスイッチは、第１開閉扉を開けたときに露出する位置に配置される。コネクタ及びディップスイッチには、第２電圧よりも高い電圧が印加されることはない。
【００１１】
本発明によれば、第１電気部品群のコネクタやディップスイッチには第２電圧より高い電圧は印加されない。一方、第１開口部の開閉を第１開閉扉によって手指で行えるので、第１電圧以上の電圧に触れることなく、コネクタやディップスイッチの接続や設定を行うことができる。
【００１２】
第４発明に係る天井設置型空調室内機は、第２発明の天井設置型空調室内機であって、第１蓋は、第１領域と第２領域との境界の下方を通り屈曲自在な薄肉部を持つ板部材で構成されている。薄肉部を境とする板部材の第１領域の側が第１開閉扉である。
【００１３】
本発明によれば、板部材に薄肉部を形成するという簡単な構成で第１開閉扉を形成できる。
【００１４】
第５発明に係る天井設置型空調室内機は、第４発明の天井設置型空調室内機であって、第１開閉扉を開閉できるように第２開閉扉を有し、少なくとも第１蓋の一部分を覆う化粧パネルをさらに備える。
【００１５】
本発明によれば、化粧パネルの取り外しを行わなくても、第２開閉扉を開けるだけで第１開閉扉を開閉できる。一方、化粧パネルを組み付けた後は、化粧パネルが第１蓋の一部分を覆っているため、誤って第１蓋があけられることがない。
【００１６】
第６発明に係る天井設置型空調室内機は、第１発明から第５発明のいずれかの天井設置型空調室内機であって、第２蓋が、電装品箱の下方に取り付けられている。第２蓋は、下面から見て第１開口部と重なる位置に第２開口部を有するとともに第２開口部の開閉を手指で行う第３開閉扉を有する。
【００１７】
本発明によれば、さらに第２蓋と第３開閉扉を設けることで、第１電気部品に対して作業ができる環境を作るための手間の増大を抑制しつつ、誤って第１電気部品群や第２電気部品群が露出する確率を小さくすることができる。
【００１８】
第７発明に係る天井設置型空調室内機は、第６発明の天井設置型空調室内機であって、第３開閉扉は、閉めたときに前記第１開閉扉に当接する凸部を持つ。
【００１９】
本発明によれば、凸部によって第１蓋を押さえることで閉鎖性を向上している。
【発明の効果】
【００２０】
第１発明では、第１電気部品群の取り扱い時に、第１開口部において手指が高電圧に触れることがないため、安全ですばやく第１電気部品群についての作業を行うことができる。
【００２１】
第２発明では、第１蓋を取れば、第２電気部品群に対する作業ができるため高電圧が掛かる部分への作業の利便性が向上する。
【００２２】
第３発明では、コネクタやディップスイッチの接続や設定を安全にすばやく行うことができる。
【００２３】
第４発明では、第１開閉扉の構成が簡単で第１開閉扉形成の手間が省ける。
【００２４】
第５発明では、化粧パネルにより安全性が向上する。
【００２５】
第６発明では、より安全に電気部品を設置することができる。
【００２６】
第７発明では、扉の閉鎖性が向上し、電気部品の劣化や誤動作を低減することができる。
【発明を実施するための最良の形態】
【００２７】
（空気調和装置の全体構成）
本発明の一実施形態による電装品箱が搭載された空気調和装置の概観を図１に示す。この空気調和装置１は、室内の天井に埋め込まれる天井設置型空調室内機２と、室外に設置される空調室外機３とを備えている。空気調和装置１は、１つの空調室外機３に対して１つの天井設置型空調室内機２が設けられるタイプであり、冷媒配管、電送線及び通信線などを集合した集合連絡管４によって両者２，３が接続されている。天井設置型空調室内機２は本体５と化粧パネル１０を備えており、天井設置型空調室内機２の本体５が天井に埋め込まれる。本実施形態は天井設置型空調室内機２の電装品箱周辺に関する発明に関するものであるので空調室外機３についての説明は省く。
【００２８】
（空気調和装置の室内機）
図２は天井に埋め込まれた天井設置型空調室内機２の外観を示す正面図である。空気調和装置１が設置されている室内の天井を見上げると、図２に示す天井設置型空調室内機２の化粧パネル１０が見える。化粧パネル１０には吸込口１１が設けられている。吸込口１１には、吸込口１１を覆うように開閉パネル１２が装着されている。開閉パネル１２には多数の透孔１３ａが形成されている格子部１３がある。この開閉パネル１２は、格子部１３と化粧蓋部１４とが一体になって構成されており、回動して開けることができるつくりになっている。開閉パネル１２が開いている状態は図１１に示す。この化粧蓋部１４には、開閉パネル１２にあるような透孔１３ａは設けられておらず、化粧蓋部１４は１枚の板状部材からなる。この開閉パネル１２を開いた所が開口部１９であり、開口部１９には吸込口１１以外に化粧蓋部１４で蓋をされている部分が含まれる。
【００２９】
また、化粧パネル１０には風向調節羽根１５が配置されている。この風向調節羽根１５は、天井設置型空調室内機２の運転停止時には化粧パネル１０の吹出口１６を閉じ、吹出口化粧板としての役目も果たす。天井設置型空調室内機２は、運転時に、風向調節羽根１５を回動して吹出口１６を開き、吸込口１１から吸い込んだ空気を調和して吹出口１６から吹き出す。風向調節羽根１５以外にも、風向調節羽根１５が調節する風向に対して垂直方向の風向を調節する風向調節羽根（図示省略）も設けられている。また、こられ風向調節羽１５などを動かすために水平・垂直フラップスイングモータ（図示省略）が設けられている。
【００３０】
化粧パネル１０において、化粧蓋部１４の横には、サーミスタ用に設けられたサーミスタ用透孔１７が設けられている。サーミスタ（図示省略）は、サーミスタ用透孔１７を通じて室内の温度を測定する。また、化粧パネル１０には、受光部１８が設けられている。空気調和装置１をコントロールするためワイヤレスリモートコントローラから発せられた赤外線は、受光部１８を通過して本体５の側に到達する。なお、赤外線の受光については後述する。
【００３１】
化粧パネル１０の周囲部分１０ｂと中央部分１０ａとは、分離可能に構成されている。化粧パネル１０の中央部分１０ａは、天井設置型空調室内機２が天井に埋め込まれた状態で取り外し可能に構成されている。
【００３２】
（空調室内機に取り付けられている電装品箱）
（電装品箱の周辺）
図３は、化粧パネル１０の中央部分１０ａを外した状態を示す天井設置型空調室内機２の部分拡大正面図である。受光プリント配線基板２１とサービスパネルユニット２３が天井設置型空調室内機２に取り付けられている。化粧パネル１０の中央部分１０ａを外したことで、受光プリント配線基板２１とサービスパネルユニット２３が露出している。既に説明した受光部１８を通過した赤外線は受光プリント配線基板２１の上に配線された受光素子２２で検出される。
【００３３】
また、天井設置型空調室内機２には、電装品箱３０が装着されている。図３において、この電装品箱３０は、サービスパネルユニット２３からサービスパネル開閉扉がさらに外されているため開口部２４を通して一部露出している。なお、サービスパネル開閉扉については後述する。受光プリント配線基板２１はワイヤハーネス２５で電装品箱３０に接続されている。サーミスタ用透孔１７を通して室温測定を行うサーミスタも同様に電装品箱３０に接続されている。
【００３４】
図４は、サービスパネルユニット２３を外した状態を示す天井設置型空調室内機２の部分拡大正面図である。図４に示す天井設置型空調室内機２は天井から取り外した状態である。図４に示すように本体５はケーシング５０を備えている。化粧パネル１０の周囲部分１０ｂが取り外されることによってケーシング５０が下面側から見える状態になっている。ケーシング５０には、発泡スチロールからなる断熱部材２７が収納されている。電装品箱３０は、この断熱部材２７に隣接して取り付けられている。図４においては、サービスパネルユニット２３が取り外されることによって電装品箱３０の電装品箱蓋３１の全面が露出している。電装品箱３０は、ビス５１，５２によってケーシング５０に固定されている。
【００３５】
電装品箱３０の電装品箱蓋３１には、直線状の薄肉部が形成されており、その薄肉部で電装品箱蓋３１を折り曲げることができる。図４には、薄肉部で電装品箱蓋３１が９０度折れ曲がった状態が示されており、即ち電装品箱開閉扉３２が開いた状態になっている。電装品箱開閉扉３２には、半抜き打出し部３４が形成されている。この半抜き打出し部３４に手指を引っ掛けて持ち上げることにより電装品箱開閉扉３２を容易に開くことができる。半抜き打出し部３４や薄肉部は、例えば電装品箱蓋３１を形成する際にプレス加工により形成することができる。
【００３６】
（電装品箱の内部）
電装品箱開閉扉３２が開くことによって、サービスプリント配線基板３３が露出する。サービスプリント配線基板３３には、ディップスイッチ３５が取り付けられている。このディップスイッチ３５を用いて、天井設置型空調室内機２のアドレスの設定や、例えば天井が高いことなど天井設置型空調室内機２の設置場所の環境に合わせた回路の設定を行うことができる。また、サービスプリント配線基板３３には、コネクタ３６，３７，３８，３９，４０が取り付けられている。これらコネクタ３６，３７，３８，３９，４０は、水平・垂直フラップスイングモータへの接続、受光プリント配線基板２１への接続、サーミスタへの接続、メインプリント配線基板などを行うためのものである。なお、メインプリント配線基板については後述する。また、サービスプリント配線基板３３にはドレンポンプを強制的に動かすためのボタン４１が取り付けられている。さらに、サービスプリント配線基板３３にはダイオードやトランジスタなどの集積回路４２が取り付けられている。このように、サービスプリント配線基板３３上には、ディップスイッチ３５、コネクタ３６，３７，３８，３９，４０、ボタン４１、および集積回路４２などの第１電気部品群が取り付けられている。
【００３７】
これらモータやプリント配線基板や電子素子などとは比較的低い動作電圧や制御信号の入出力を行うため、サービスプリント配線基板３３においては数ボルト〜数十ボルトの比較的低い電圧しか印加されず或いは発生しない。サービスプリント配線基板３３で用いる定格電圧値は、ＤＣ７５ボルト未満及びＡＣ５０ボルト未満である。さらに好ましくは、ＤＣ３０ボルト未満およびＡＣ３０ボルト未満である。そのため、サービスプリント配線基板３３に実装される電気部品群には、サービスプリント配線基板３３の定格電圧より低い電圧（第２電圧）が供給される。
【００３８】
電装品箱蓋３１は、一本のビス５３により電装品箱３０に取り付けられている。言い換えると、このビス５３を一本取り外せば電装品箱蓋３１を取り外して作業を行うことができる。
【００３９】
図５は、図４の状態から電装品箱蓋３１を取り外した状態を示している。図５に示すように、電装品箱３０において、天井設置型空調室内機２の下面から見える領域は、サービスプリント配線基板３３が配置されている第１領域Ａｒ１と、それに隣接する第２領域Ａｒ２とからなっている。第２領域Ａｒ２には、連絡電線６０が接続される端子盤６１及び、メインプリント配線基板６２の一端が配置されている。メインプリント配線基板６２の一端には、天井設置型空調室内機２の下面側すなわち電装品箱蓋３１を開けると露出する側にコネクタ６３ａ，６３ｂ，６３ｃ，６３ｄなどが取り付けられている。端子盤６１やメインプリント配線基板６２のコネクタ６３ａ，６３ｂ，６３ｃ，６３ｄなどが第２電気部品群を構成している。
【００４０】
端子盤６１には、２００ボルトの電源を供給するための電線６０ａ，６０ｂ、空調室外機３との信号の遣り取りを行うための電線６０ｃ、及びアース線６４が接続されている。アース線６４はサービスプリント配線基板３３側に配置され、予期せぬ事態で手指が第１領域側から侵入しても安全な配置となっている。また、端子盤６１には、温度ヒューズ６５が取り付けられており、端子盤６１の周辺が異常高温になるのを防止している。そのため、手指が高温で火傷を負うなどの危険性が低くなっている。また、第２領域Ａｒ２のうち、端子盤６１及び第１領域Ａｒ１に隣接する、図５に斜線で示した第３領域Ａｒ３には、電気が供給されるものは何も配置されていない。そのため、第３領域Ａｒ３に誤って手指などが入っても電気に関連する危険が生じる可能性は極めて低い。
【００４１】
メインプリント配線基板６２は、電装品箱３０において、サービスプリント配線基板３３に対して垂直になるような状態で第２領域Ａｒ２のうち第１領域Ａｒ１の反対側の位置に取り付けられている。そのため、メインプリント配線基板６２に開口部７５からは絶対に手指が届かない。
【００４２】
図６は、図２におけるＩ−Ｉ線断面図である。メインプリント配線基板６２の一端が第２領域Ａｒ２において露出するように配置するとともに作業に必要な露出部分（電装品箱蓋３１で覆われた領域）を広くし、しかもできる限り電装品箱３０の容積を小さくするため、電装品箱３０は側面から見て略鍵形の形状になっている。メインプリント配線基板６２は、端子盤６１の連絡電線６０に接続され、空気調和装置１の運転・停止などの主な操作を行わせるための配線が形成されている。また、運転に必要な室内温度などの情報や無線リモートコントローラからの指示を得るために、電装品箱３０はサービスプリント配線基板３３にも接続されている。ただし、サービスプリント配線基板３３に２００ボルトなどの高電圧が印加されないよう電源回路と制御回路はトランスやダイオードなどによって絶縁されている。メインプリント配線基板６２で用いる定格電圧のうちサービスプリント配線基板３３に対して絶縁されている電圧（第１電圧）は、定格値でＡＣ２００ボルト以上の電圧及びＤＣ２５０Ｖ以上の電圧である。さらに好ましくは、ＡＣ１００ボルト以上及びＤＣ１２５ボルト以上の定格電圧である。そのため、第２電気部品群には、端子盤６１のように高電圧（第１電圧）が供給されるものがあり、コネクタ６３ａ，６３ｂ、６３ｃ、６３ｄの中にも高電圧が供給されるものがある。一方、コネクタ６３ａ，６３ｂ、６３ｃ、６３ｄの中には、熱交換器の温度測定用サーミスタなどの素子との接続に用いられ、数ボルト程度の低電圧しか供給されないものもある。このように低電圧が供給される電気部品が第２電気部品群に混じっていても、安全管理の点からは高電圧に対応した取り扱いが必要になる。
【００４３】
上述のように、電装品箱蓋３１を外せば、サービスプリント配線基板３３と端子盤６１とメインプリント配線基板６２の一端が第１領域Ａｒ１と第２領域Ａｒ２において露出するよう構成しているため、作業性が向上する。通常は電源を切ってサービスプリント配線基板３３の取り扱いを行うべきであるが、電気特性を測定しなければならない場合や電源の切り忘れなどが発生するので常に電源が切られているとは限らない。電装品箱開閉扉３２を開け、例えば出荷前の検査のために電源を入れてサービスプリント配線基板３３に手指で触れる可能性のある作業を行ったとしても、従来よりは安全性が高くなっている。
【００４４】
（電装品箱の形状）
図７は電装品箱３０の側面図であり、図８は電装品箱３０の斜視図である。電装品箱３０は、上下方向に長くかつ下面側が開口した略直方体形状の筐体３０ａに、上下方向に短くかつ下面側が開口した筐体３０ｂを金具７１で継ぎ足して形成されている。金具７１と筐体３０ａ，３０ｂは片側面３本ずつ合計６本のネジ７１ａ，７１ｂ，７１ｃで固定されている。
【００４５】
図９及び図１０は、電装品箱３０の電装品箱開閉扉３２を９０度開けた状態を示す斜視図である。図１０は図９におけるＡ方向から見た図である。図９に示す折り曲げ線３１ａのところが薄肉部である。筐体３０ｂに凸部７２が設けられ、その凸部７２に対応する凹部７３が設けられ、電装品箱蓋３１が閉まったときに凸部７２が凹部７３に勘合する。また、筐体３０ｂの凸部７４が電装品箱蓋３１の凹部（図示省略）に勘合する。これらの勘合は、電装品箱蓋３１で筐体３０ｂが閉じられた状態を保つことができると同時に、手指で簡単に開けられる程度の引っ掛かり具合に調整されている。電装品箱蓋３１が開いたところが開口部７５である。開口部７５から見える図１０に示す隙間は、高さＨ１が５ｍｍ程度に設定され、手指が入らない高さになっている。なお、安全面からは、絶縁材料からなる網などを入れて仕切りをする方が好ましいが、作業面などからは手指が入らない高さにする方が好ましく、いずれにするかは適宜選択される。
【００４６】
（電装品箱と開閉扉）
図１１は天井設置型空調室内機２の斜視図である。図１２は図１１におけるＢ部分の部分拡大図である。図１１及び図１２に示すように化粧パネル１０を装着した状態で、開閉パネル１２を開閉することができる。開閉パネル１２（化粧蓋部１４）を開くと、開口部１９を通してサービスパネルユニット２３のサービスパネル開閉扉２３ａを手指で引っ張って開くことができる。このサービスパネル開閉扉２３ａには凸部２３ｂが形成されており、サービスパネル開閉扉２３ａが閉まっているときにはこの凸部２３ｂで電装品箱蓋３１を押さえている。図１１及び図１２に示すように、電装品箱開閉扉３２も開いているので、サービスプリント配線基板３３が露出している。従って、天井に天井設置型空調室内機２を設置した状態で、サービスプリント配線基板３３に対して作業を行うことができる。作業は電源をＯＦＦにして行うが、誤って電源を入れた状態で作業をしてもサービスプリント配線基板３３に触れるだけであるため、高電圧に触れることがなくて危険性はきわめて低くなっている。
【００４７】
本実施形態の電装品箱を備えた空気調和装置の特徴
（Ａ）
本実施形態の電装品箱３０を備えた空気調和装置１では、天井設置型空調室内機２が室内に下面を向けて取り付けられている。その天井設置型空調室内機２には電装品箱３０が取り付けられている。電装品箱３０は、第１領域Ａｒ１にディップスイッチ３５、コネクタ３６，３７，３８，３９，４０、ボタン４１及び集積回路４２を備え、第２領域Ａｒ２に端子盤６１及びコネクタ６３ａ，６３ｂ，６３ｃ，６３ｄを備える。ディップスイッチ３５、コネクタ３６，３７，３８，３９，４０、ボタン４１及び集積回路４２は、ＡＣ１００ボルト及びＤＣ１２５ボルト以上の電圧から絶縁されていてＤＣ７５ボルト及びＡＣ５０ボルト未満の電圧で動作する。一方、端子盤６１はＡＣ２００ボルト以上の電圧の供給を受け、コネクタ６３ａ，６３ｂ，６３ｃ，６３ｄの中にもＡＣ２００Ｖ異常の電圧の供給を受けるものがある。しかし、端子盤６１及びコネクタ６３ａ，６３ｂ，６３ｃ，６３ｄが取り付けられている第２領域Ａｒ２には電装品箱蓋３１が邪魔になって手指は入らない。そのため、手指が高電圧（ＡＣ２００ボルトなど）に触れることなく、ディップスイッチ３５、コネクタ３６，３７，３８，３９，４０、ボタン４１及び集積回路４２を取り扱える。電装品箱開閉扉３２を開けて行うディップスイッチ３５、コネクタ３６，３７，３８，３９，４０、ボタン４１及び集積回路４２の取り扱い時に、手指がＡＣ２００ボルトなどの高電圧に触れることがないため、安全ですばやくディップスイッチ３５、コネクタ３６，３７，３８，３９，４０、ボタン４１及び集積回路４２に対する作業を行うことができる。
【００４８】
（Ｂ）
電装品箱３０は、下面に向かって開口部７５を持つ電装品箱蓋３１を有する。電装品箱蓋３１を取れば、端子盤６１及びコネクタ６３ａ，６３ｂ，６３ｃ，６３ｄに対する作業ができるため高電圧が掛かる部分への作業の利便性が向上する。
【００４９】
（Ｃ）
電装品箱蓋３１には、開口部７５の開閉を手指で行う電装品箱開閉扉３２がある。ディップスイッチ３５、コネクタ３６，３７，３８，３９，４０、ボタン４１及び集積回路４２には、電装品箱開閉扉３２を開けたときに露出する位置に、コネクタ３６，３７，３８，３９，４０及びディップスイッチ３５が取り付けられている。コネクタ３６，３７，３８，３９，４０及びディップスイッチ３５には、ＤＣ７５ボルト及びＡＣ５０ボルトよりも高い電圧が印加されることはない。ＡＣ２００ボルト及びＤＣ２５０ボルト以上の電圧に触れることなく、コネクタ３６，３７，３８，３９，４０及びディップスイッチ３５の接続や設定を安全にすばやく行うことができる。
【００５０】
（Ｄ）
電装品箱蓋３１は、第１領域Ａｒ１と第２領域Ａｒ２との境界の下方を通り屈曲自在な薄肉部を持つ板部材で構成されている。薄肉部を境とする板部材の第１領域Ａｒ１の側が電装品箱開閉扉３２である。板部材に薄肉部を形成するという簡単な構成で電装品箱開閉扉３２を形成でき電装品箱開閉扉３２形成の手間が省ける。
【００５１】
（Ｅ）
化粧パネル１０は電装品箱３０の下方に取り付けられている。この化粧パネル１０は、下面から見て開口部７５及び開口部２４が重なる位置に開口部１９を有し、電装品箱蓋３１を覆っている。そのため、化粧パネル１０及びサービスパネルユニット２３を取り外さなければ電装品箱蓋３１を開くことができないため安全性が向上する。さらに、化粧パネル１０は、手指で開口部１９の開閉を行う開閉パネル１２を有する。開閉パネル１２を開くと、サービスパネル開閉扉２３ａを通して電装品箱開閉扉３２の開閉を行うことができる。そのため、化粧パネル１０の取り外しを行わなくても、開閉パネル１２を開けるだけで電装品箱開閉扉３２を開閉できる。化粧パネル１０を組み付けた後は、化粧パネル１０が電装品箱蓋３１の一部分を覆っているため、誤って電装品箱蓋３１が開けられることがない。このように、利便性を損なうことなく安全性を向上することができる。
【００５２】
（Ｆ）
サービスパネルユニット２３が電装品箱蓋３１の下方に取り付けられている。サービスパネルユニット２３は、下面から見て開口部７５と重なる位置に開口部２４を有する。また、サービスパネルユニット２３は、開口部２４の開閉を手指で行うサービスパネル開閉扉２３ａを有する。化粧パネル１０と電装品箱３０との間に、サービスパネル開閉扉２３ａを設けることで、さらに安全にディップスイッチ３５、コネクタ３６，３７，３８，３９，４０、ボタン４１及び集積回路４２上には、ディップスイッチ３５、コネクタ３６，３７，３８，３９，４０、ボタン４１、および集積回路４２などを取り扱うことができる。
【００５３】
（Ｇ）
サービスパネルユニット２３の凸部２３ｂによって電装品箱蓋３１を押さえることで閉鎖性を向上している。それにより、電装品箱３０内への埃の侵入などによるディップスイッチ３５、コネクタ３６，３７，３８，３９，４０、ボタン４１、および集積回路４２などの劣化や誤動作を低減することができる。
【００５４】
変形例
上記実施形態では、第１電気部品群として、ディップスイッチ３５、コネクタ３６，３７，３８，３９，４０、ボタン４１、および集積回路４２について説明したが、第１電気部品群に含まれる電気部品の種類はこれらに限られるものではない。また、第２電気部品群として、端子盤６１及びメインプリント配線基板６２のコネクタ６３ａ，６３ｂ，６３ｃ，６３ｄについて説明したが、第２電気部品群に含まれる電気部品の種類はこれらに限られるものではない。
【００５５】
また、上記実施の形態ではサービスパネル開閉扉２３ａ及び開閉パネル１２の化粧蓋部１４は回動することによって開くものを示したがスライドして開閉するものや他の開閉扉であってもよい。
【００５６】
また、化粧パネル１０の開閉パネル１２が格子部１３と化粧蓋部１４とを一体にしたものについて説明したが、これらは別々に設けられてもよい。
【図面の簡単な説明】
【００５７】
【図１】本発明の一実施形態に係る天井設置型空調室内機を含む空気調和装置の構成の概略を示す図。
【図２】本発明の一実施形態に係る天井設置型空調室内機の正面図。
【図３】図２の天井設置型空調室内機から化粧パネルの一部を取り外した状態を示す部分拡大正面図。
【図４】図３の天井設置型空調室内機からサービスパネル開閉扉を外して電装品箱開閉扉を開けた状態を示す部分拡大正面図。
【図５】図４の天井設置型空調室内機から電装品箱蓋を取り外した状態を示す部分拡大正面図。
【図６】図２のＩ−Ｉ線断面における電装品箱周辺を示す図。
【図７】電装箱の側面図。
【図８】本発明の一実施形態に係る電装品箱の外観を示す側面図。
【図９】図８の電装品箱の電装品箱開閉扉を開いた状態を示す斜視図。
【図１０】図９の電装品箱のＡ方向から見た斜視図。
【図１１】図２の天井設置型空調室内機の斜視図。
【図１２】図１１のＢ部分を拡大した部分拡大図。
【符号の説明】
【００５８】
２  天井設置型空調室内機
３  空調室内機
１０  化粧パネル
１２  開閉パネル（第３開閉扉）
１９  開口部（第３開口部）
２３  サービスパネルユニット（第２蓋）
２３ａ  サービスパネル開閉扉（第２開閉扉）
２３ｂ  凸部
２４  開口部（第２開口部）
３０  電装品箱
３１  電装品箱蓋（第１蓋）
３２  電装品箱開閉扉（第１開閉扉）
３３  サービスプリント配線基板
３５  ディップスイッチ
３６，３７，３８，３９，４０  コネクタ
６０  連絡電線
６１  端子盤
６２  メインプリント配線基板
６３ａ，６３ｂ，６３ｃ，６３ｄ  コネクタ
７５  開口部（第１開口部）
Ａｒ１  第１領域
Ａｒ２  第２領域
【図１】
2010002076.tif 000003
【図２】
2010002076.tif 000004
【図３】
2010002076.tif 000005
【図４】
2010002076.tif 000006
【図５】
2010002076.tif 000007
【図６】
2010002076.tif 000008
【図７】
2010002076.tif 000009
【図８】
2010002076.tif 000010
【図９】
2010002076.tif 000011
【図１０】
2010002076.tif 000012
【図１１】
2010002076.tif 000013
【図１２】
2010002076.tif 000014